(57)【要約】【課題】降雨時において介護用車椅子を使用した際に、降りる時も含めて非介護者を雨水で濡らして健康を損なうことのないような、装着や保管が容易で低コストな車椅子用防雨具を提供する。【解決手段】車椅子１に搭乗着席した人体２の上半身の頭上および両横方と前方の空間を視界を遮らずに遮断する上部遮蔽体Ａと、上部遮蔽体Ａの前下端部においてこれを上端で支持する少なくとも両横方と前方の空間を遮断する下部遮蔽体Ｂとを主要構成体とし、両者は非使用時において任意に分断ないし重ね状であり、使用時において連接一体化状であるようにする。その際、上部遮蔽体Ａの前部を上から下にかけて前方突出するように傾斜させ、上部遮蔽体Ａにその後上部と下端辺縁部の下方を覆うカーテン状体３を取り付ける。【選択図】図５
2017225786.tif 000002
【特許請求の範囲】
【請求項１】
車椅子に搭乗着席した人体上半身の頭上および両横方と前方の空間を視界を遮らずに遮断する上部遮蔽体と、該上部遮蔽体の前下端部においてこれを上端で支持する少なくとも両横方と前方の空間を遮断する下部遮蔽体とを主要構成体とし、両者は非使用時において任意に分断ないし重ね状であり、使用時において連接一体化状であることを特徴とする車椅子用防雨具。
【請求項２】
上部遮蔽体の前部を上から下にかけて前方突出するように傾斜させた請求項１記載の車椅子用防雨具。
【請求項３】
上部遮蔽体にその後上部と下端辺縁部の下方を覆うカーテン状体を取り付けた請求項１記載の車椅子用防雨具。
【発明の詳細な説明】
【技術分野】
【０００１】この発明は、車椅子、とりわけ介護用の車椅子において、雨による着水を防ぐための車椅子用防雨具に関する。
【背景技術】
【０００２】雨天時に外出する際、車椅子を必要とする被介護者には傘の使用が甚だ困難なため雨合羽（車椅子用レインコート）を着用させることが多いが、それでも水浸しの雨合羽の脱着時などに非介護者を濡らして体力の無い同者の健康を害したり発病に至る懸念があり、介護責任者にとってもそれは深刻な問題点であった。【０００３】そこで防雨具を車椅子に取り付ける試みが各種なされてきた。しかしながら例えば、広がりの大きな傘状体を取り付ける方式は、重心が前方に片寄り不安定であるばかりか、風があるときには側方からの雨水を防ぎきれないし、介護者にとってはかえって不便になりがちである。【０００４】また背後等に支柱を立ててテント状に形成する方式もあるが、これも、非介護者が使用後に出るときやテントの取り外しの際に雨水が流れ落ちやすく、雨合羽同様の懸念があることに変わりはない。【０００５】更に車椅子の後方両横にに回転軸を設け、これを共通の軸にして横前方を囲む数個重ねた湾曲板を回転スライドして広げると鸚鵡貝の一部のような形に形成される大型の雨除け装置も既に商品化されているが、これはかなりコスト高につくととも重量化し、介護者一人のみでは装置の脱着が困難で非介護者を傷つける憂いがあり、手間取って非介護者を濡らしてしまう懸念もあった。
【発明の概要】
【発明が解決しようとする課題】
【０００６】従って現状では、降雨時に介護者が重度の非介護者を責任をもって外出させることが困難であるという問題点が残されていた。本発明はかかる問題点を解決することを課題とする。
【課題を解決するための手段】
【０００７】車椅子１に搭乗着席した人体２の上半身の頭上および両横方と前方の空間を視界を遮らずに遮断する上部遮蔽体Ａと、上部遮蔽体Ａの前下端部においてこれを上端で支持する少なくとも両横方と前方の空間を遮断する下部遮蔽体Ｂとを主要構成体とし、両者は非使用時において任意に分断ないし重ね状であり、使用時において連接一体化状であるようにする。【０００８】その際、上部遮蔽体Ａの前部を上から下にかけて前方突出するように（急な下り坂状に）傾斜させるものとする。【０００９】上部遮蔽体Ａは、搭乗着席した使用者（介護者）の視界を遮らずに上半身の頭上および両横と前方の空間を（雨水から）遮断するものであるから、具体的にはＰＥＴ樹脂のような透明性の高い強度ある樹脂板から成るものが該当する。全体が透明であることが好ましいが、補強目的で金属製リブを取り付けたり、日除け目的で天井部を不透明にしたりすることは差し支えない。【００１０】下部遮蔽体Ｂは必ずしも視界を遮らないことを要しないが、同じく雨水を遮断でき上部遮蔽体Ａを支持するに足るＰＥＴ樹脂板のような、もしくはＰＰ（ポリプロピレン）のような軽量で強度と耐水性のあるものにする。【００１１】上部遮蔽体Ａと下部遮蔽体Ｂは、使用時に図４および図５のように、下部遮蔽体Ｂの上端で上端遮蔽体Ａの前下端を支持しつつ載置して連接一体化させる。その際、シャワーカーテンを取り付けるときに使われるクリップのような止具（図示せず）で車椅子１の左右上後部、左右中央部、左右下前部などでこれを挟んで取り付け固定させるものとする。【００１２】また非使用時は原則として両者は分断されるが、下部遮蔽体Ｂと上部遮蔽体Ａは略相似形で後者は前者よりやや小さいため、前者の裏側に後者を収めて、かさ張らないように保管することができる。【００１３】なお図３は下部遮蔽体Ｂの特殊形態を示すものであるが、この場合は、上部遮蔽体Ａの下半のやや小さい相似形であって、天井板も無い。これは載置というより上部遮蔽体Ａの内側に少し滑り込ませるような形で支持しつつ車椅子１に止具で固定することになる。【００１４】雨水は上方からとは限らないため、上部遮蔽体Ａにその後上部と下端辺縁部の下方を覆うカーテン状体３を取り付けるものとする。その取り付けは接着又は融着による場合もあるが、例えば図５のように、上部遮蔽体Ａの後上部にスナップボタンのような止具４付きカーテン状体３を着脱自在にセットするのが好ましい。【００１５】その場合、上部遮蔽体Ａの下端辺縁部においては雨水が入り込まないようにするため、カーテン状体３の上端がその内側にくるように止具４でセットする。
【発明の効果】
【００１６】本発明によれば、窮屈感なく非介護者を収容する必要最小限の空間を確保できて全体の形状を小型化できるだけでなく、非使用時には２個に分割されるため、その各１個は介護者一人で楽に持ち運びして車椅子に楽に取り付けることができ、雨天においても速やかに作業が進行する。【００１７】また取り外しの際も、付着した雨水が非介護者にかかる機会をほとんど与えないから、それによる不快感や健康を害する懸念を払拭できる。【００１８】更に非使用時におけるこの２個の構成体は、一方を他方の内側に重ねるように収めれば１個分の大きさとなり、保管時のスペースがはなはだ確保しやすくなる。【００１９】同時に車体装着型としてはコストを著しく低減でき、かさ張らないので、現状に即して普及させやすいという効果がある。
【発明を実施するための形態】
【００２０】約１ｍｍ厚所定形状の透明ＰＥＴ樹脂板を加熱湾曲成型して得られる上部および下部の遮蔽体Ａ，Ｂの側面部と平板からなる天井部とを融合接着して、先ず図１と図２または図３のような形状の上部遮蔽体Ａと下部遮蔽体Ｂを作成する。
【００２１】下部遮蔽体Ｂが図２のような場合は、水平横断面の形状と大きさがＡ上端の内面とＢの外面において等しくなるようにし、Ａの天井部後端には予め数個のスナップボタンの片方を取り付けておき、これに合わせた数個のスナップボタンが取り付けられているカーテン状体３を別途用意するとともに、Ａの内側下端の全長にわたって約１ｃｍ上方に約１０ｃｍ間隔でスナップボタンの片方を予め取り付けておき、これに合わせたスナップボタンが取り付けられた長さがＡの内側下端の全長分で、幅が両端で約１５ｃｍ、中央にかけて約３０ｃｍになるような別のカーテン状体３を用意し、両スナップボタンを嵌めて取り付けた際にはスカート状を呈するようにする。
【００２２】なお必要に応じ、使用する樹脂板は予め３〜４枚の横長板に分断し、これらを湾曲成型したものを同じく湾曲成型したアルミ製リブで補強を兼ねて連結する。またＢの方は天井部を必ずしも全面的に形成する必要はなく、三日月状にするか、或いは全て省いてその代わり図３のようにＡ同様に傾斜させてもよい。この場合はＡをＢの天井上に載置する形をとらずにＢをＡの内側に滑り込ませる形を取るから、前方のスカート状のカーテン状体３は不要となるが、その分、車椅子１に取り付けるクリップを強度のあるものにする。なお本発明はかかる例に限定されるものではない。
【産業上の利用可能性】
【００２３】本発明は現実的に必要性が高く、製造も低コストに可能であるので、産業上の利用可能性は大いにあると言える。
【図面の簡単な説明】
【００２４】
【図１】……本発明の上部遮蔽体の見取図
【図２】……本発明の下部遮蔽体一例の見取図
【図３】……本発明の下部遮蔽体別例の見取図
【図４】……本発明の各遮蔽体を連接した状態を示す見取図
【図５】……本発明を車椅子使用時に装着した状態を示す見取図
【符号の説明】Ａ……上部遮蔽体
Ｂ……下部遮蔽体
１……車椅子
２……人体
３……カーテン状体
４……止具
【図１】
2017225786.tif 000003
【図２】
2017225786.tif 000004
【図３】
2017225786.tif 000005
【図４】
2017225786.tif 000006
【図５】
2017225786.tif 000007